(57)【要約】【課題】互いに異なる色光を発する発光素子群を隣接配置して混色を得る発光装置であって、多数の発光素子例えば発光ダイオードを設ける場合であっても、比較的良好な混色を得られるとともに実装も容易な発光装置を提供する。【解決手段】境界壁３は、複数個の発光素子１、・・・を２個の発光素子群４、５にその境界線が非直線となるように分割している。その結果、発光素子群４、５の境界領域Ａは図１に示すように広く形成されている。これら発光素子群４、５は、図示しない点灯装置により点灯を制御（必要に応じて調光点灯されることを含む）され、所要の混色光を得ることができる。【選択図】図１
2009246203.tif 000002
【特許請求の範囲】
【請求項１】
互いに異なる色光を発する発光素子群を隣接配置して混色を得る発光装置において；
隣接配置される各発光素子群の境界部分が非直線的であって、境界領域における発光素子は異なる色光を発するものが混在する関係に形成されていることを特徴とする発光装置。
【請求項２】
基板と；
基板に配置された複数個の発光ダイオードと；
複数個の発光ダイオードを複数のブロックに分割するとともに、隣接するブロックの境界部分が非直線的である境界壁と；
前記複数のブロックの内の少なくとも一のブロックに配置され、隣接するブロックの色光とは異なる色光を発する蛍光体と；
を具備していることを特徴とする発光装置。
【請求項３】
前記蛍光体は樹脂材と混合されて液状状態のものを充填した後硬化されることによって配置されるものであり、かつ、前記複数のブロックの内、同じ蛍光体を配置されるブロック同士は蛍光体と樹脂材との混合液が流動可能な通路によって連絡されていることを特徴とする請求項２記載の発光装置。
【発明の詳細な説明】
【技術分野】
【０００１】
本発明は、複数個の発光素子群を用い、これら発光素子群からの色光を混色させて所望の色光を得る発光装置に関する。
【背景技術】
【０００２】
従来、互いに異なる色光を発する発光素子からの光を混色して所望の色光を得ることが提案されている。例えば特許文献１、２には発光ダイオードを用いて混色光を得るものが示されている。
【０００３】
特許文献１に記載のものは、複数個の一種類目（一色目）の発光ダイオードを基板の中心から周辺に向けて渦巻き状に配置し、二種類目（二色目）の発光ダイオードを一種類目の発光ダイオードの間に配置して同様に渦巻き状に配置し、基板全面に一種類目と二種類目との発光ダイオードが混在するようにしている。
【０００４】
特許文献２に記載のものは、白色発光ダイオードとある単色を発する発光ダイオードとを交互に直線状に配置するようにしている。
【特許文献１】特許第３２０４２９４号公報
【特許文献２】特開２００５‐１００７９９号公報
【発明の開示】
【発明が解決しようとする課題】
【０００５】
特許文献１、２に記載の発光装置は、発光ダイオードを一個単位で互いに混在するようにしている。このため、良好な混色が得られ易いというメリットがある。
【０００６】
しかしながら、異なる種類の発光ダイオードを一個単位で混在するように実装配置することは製造上極めて面倒である。このため、場合によっては高密度な実装が困難になることもあった。
【０００７】
本発明は、多数の発光素子例えば発光ダイオードを設ける場合であっても、比較的良好な混色を得られるとともに実装も容易な発光装置を提供することを目的とする。
【課題を解決するための手段】
【０００８】
請求項１に記載の発光装置は、互いに異なる色光を発する発光素子群を隣接配置して混色を得る発光装置において；隣接配置される各発光素子群の境界部分が非直線的であって、境界領域における発光素子は異なる色光を発するものが混在する関係に形成されていることを特徴とする。
【０００９】
本発明および以下の各発明において、特に言及しない限り、各構成の定義または許容範囲は以下のとおりである。
【００１０】
発光素子は、例えば発光ダイオードであるが、電球、有機ＥＬ等その他の発光素子であってもよい。
【００１１】
発光装置の平面視的外形形状は、四角形、円形等どのようなものであってもよく、また、発光素子群の種類及び数は少なくとも２個である。発光素子群の種類又は数が３個以上の場合、異なる色光を発する発光素子群の境界部分が非直線的に形成されていればよい。
【００１２】
なお、境界部分とは、発光素子群が隣接している部分であるが、この境界部分は必ずしも機構的に設けられている必要は無く、仮想線的に形成されるものであってもよい。また、境界領域とは境界部分を含むその周辺領域であり、境界領域において異なる色光を発する発光素子が混在する関係とは、境界線又は仮想的な境界線の一部が相手方領域に入り込んでいるような関係になっているものである。したがって、このような関係を満たせば、境界線又は仮想的な境界線の形状はどのようなものをも許容する。よりよい混色を得るためには、境界線又は仮想的な境界線はなるべく深く相手方領域に入り込んでいる方が有利である。すなわち、境界領域を広くした方が有利であるが、発光素子の実装やその他部品の製造との関係で境界領域の広さを決定することができる。
【００１３】
本発明は、隣接配置される各発光素子群の境界部分が非直線的であって、境界領域における発光素子は異なる色光を発するものが混在する関係に形成されているから、境界領域において混色が良好になる。
【００１４】
そして、必要に応じて、ある程度距離をおいて視認したり、または発光装置の前面に乳白カバー、レンズ、プリズム等の拡散部材を配置したりすることにより、発光装置全体としての混色を良好にすることができる。
【００１５】
請求項２に記載の発光装置は、基板と；基板に配置された複数個の発光ダイオードと；複数個の発光ダイオードを複数のブロックに分割するとともに、隣接するブロックの境界部分が非直線的である境界壁と；前記複数のブロックの内の少なくとも一のブロックに配置され、隣接するブロックの色光とは異なる色光を発する蛍光体と；を具備していることをするようにしたことを特徴とする。
【００１６】
本発明において基板は電気配線を備えていることが好ましく、この場合には発光ダイオードを実装するとともに電力供給路を形成することができる。
【００１７】
境界壁は基板と一体に成形されていてもよいし、別個に形成されたものを一体的に結合したものでもよい。さらに、少なくとも一方の基板に境界壁を有している基板を結合するようにして全体の基板を形成するようにしてもよい。
【００１８】
蛍光体は、必ずしも全ての発光ダイオードに対して配置する必要は無く、所要のブロックの発光ダイオードに対してのみ配置することができる。例えば、発光ダイオードとして青色発光の発光ダイオードを用いた場合、青色を必要とするブロックには蛍光体を配置せず、他のブロックに赤色を発するための蛍光体を、さらに他のブロックに緑色を発する蛍光体を配置することにより、これらの混色により白色光を得ることができる。
【００１９】
蛍光体としては、シート状に形成されたものを発光素子の照射方向に配置するようにしてもよいし、透光性樹脂材と混合した液状のものを発光ダイオードを覆うように配置しこれを硬化するようにしてもよい。
【００２０】
本発明は、基板に複数個の発光ダイオードを配置するとともに、これら複数個のダイオードを境界壁で複数のブロックに分割し、所要のブロックに蛍光体を配置するので、例えば青色発光の発光ダイオードのみを基板に実装して所要の混色を得ることが可能となり、基板への発光ダイオードの実装は画一的に行えるといった作用を有する。
【００２１】
請求項３に記載の発光装置は、請求項２記載の発光装置において、前記蛍光体は樹脂材と混合されて液状状態のものを充填した後硬化されることによって配置されるものであり、また、前記複数のブロックの内、同じ蛍光体を配置されるブロック同士は蛍光体と樹脂材との混合液が流動可能な通路によって連絡されていることを特徴とする。
【００２２】
本発明は、同じ色光を発する発光ダイオードのブロックがそれぞれ複数個あり、かっ、それぞれのブロックが異なる色のブロックと隣接配置される場合に有効であって、樹脂材と混合されて液状状態の蛍光体をあるブロックに流し入れると、連絡通路を介して他のブロックにも流れ込むので、蛍光体の充填作業を簡単化できるとともに、同じ色同士のブロック間での充填量の制御が容易となる。
【発明の効果】
【００２３】
請求項１の発明は、互いに異なる色光を発する発光素子群を隣接して混色を得るものにおいて、隣接する発光素子群間の境界領域における混色を良好にできるので、全体としても良好な混色の発光装置を提供できる。
【００２４】
請求項２の発明は、請求項１記載の発明の効果に加えて、基板への発光ダイオードの実装を簡単化できる発光装置を提供できる。
【００２５】
請求項３の発明は、同じ色光を発する発光ダイオードのブロックが複数個ある場合、蛍光体の充填作業を簡単化でき、同じ色同士のブロック間での充填量の制御が容易な発光装置を提供できる。
【００２６】
以下、本発明の一実施形態を図１および図２を参照して説明する。
【００２７】
図１は本発明の一実施形態を示す平面図、図２は図１の２−２’に沿う断面図である。
【００２８】
１、・・・は発光素子としての発光ダイオードであり、基板２に縦、横それぞれ等間隔に複数個が配置されている。３は境界部分であり、本実施形態では、基板２に立設された境界壁によって形成されている。境界壁３は、複数個の発光素子１、・・・を２個の発光素子群４、５にその境界線が非直線となるように分割している。すなわち、図１において、互いの発光素子群４、５の一部が上下方向に相手側の領域に入り込むようにしている。その結果、発光素子群４、５の境界領域Ａは図１に示すように広く形成されている。
【００２９】
なお、本実施形態では境界部分３によって仕切られた２個の発光素子群４、５を示しているが、もちろんそれ以上の発光素子群を隣接配置するようにしてもよいものであり、その場合には、発光素子群４または５に隣接させて（図１の上側または下側）、あるいは発光素子群４および５に隣接させて（図１の右側または左側）他の発光素子群を配置すればよい。
【００３０】
そして、各発光素子群４、５にはそれぞれ異なる色光を発するための蛍光体６、７が設けられている。この蛍光体６、７は、透光性の樹脂材と混合され、それぞれ対応する発光素子群４、５の領域に充填された後、硬化することによって形成されている。
【００３１】
例えば発光ダイオード１、・・・が青色発光のダイオードである場合、蛍光体としては、赤色または緑色を発光するものとすることができる。また、青色を必要とする場合には蛍光体を設けないようにしてもよい。
【００３２】
これら発光素子群４、５は、図示しない点灯装置により点灯を制御（必要に応じて調光点灯されることを含む）され、所要の混色光を得ることができる。
【００３３】
次に、本発明の他の実施形態を図３を参照して説明する。図３は本発明の他の実施形態を示す平面図である。図１と同じまたは対応する部分には同じ符号を付して説明を省略する。
【００３４】
３１、３２、３３、３４、３５および３６はそれぞれブロック化された発光素子群であり、発光素子群３１と３２は同じ色（例えば赤）を発し、発光素子群３３と３４は同じ色（例えば緑）を発し、発光素子群３５と３６は同じ色（例えば青）を発するものである。
【００３５】
これら発光素子群３１、３２、３３、３４、３５および３６をブロック化するために境界壁３７が設けられている。また、発光素子群３１と３２との間、発光素子群３３と３４との間、発光素子群３５と３６との間には溝状の通路３８が形成されており、例えば発光素子群３１に流入された蛍光体および透光性樹脂材の混合液材が発光素子群３２側に流動するようにしている。他の発光素子群３３と３４との間、発光素子群３５と３６との間の通路３８も同様に作用するようになっている。
【００３６】
次に、本実施形態の作用を説明する。同じ色光を発する発光ダイオードのブロック３１と３２に蛍光体を設けるに際しては、樹脂材と混合されて液状状態の蛍光体をブロック３１に流し入れると、この液状状態の蛍光体は連絡通路３８を介して他のブロック３２にも流れ込む。また、他の発光ダイオードのブロック３３と３４の場合、３５と３６の場合も同様であり、一方のブロックに流し入れると、この液状状態の蛍光体は連絡通路３８を介して他のブロックにも流れ込み、蛍光体を各ブロックに設けることができる。したがって、蛍光体の充填作業が簡単であるとともに、同じ色同士のブロック間での充填量の制御が容易となる。
【図面の簡単な説明】
【００３７】
【図１】本発明の一実施形態を示す平面図。
【図２】図１の２-２’に沿う断面図。
【図３】本発明の他の実施形態を示す平面図。
【符号の説明】
【００３８】
１、・・・…発光素子、２…基板、３、３７…境界壁、４、５、３１〜３６…発光素子群、６、７蛍光体、３８…通路
【図１】
2009246203.tif 000003
【図２】
2009246203.tif 000004
【図３】
2009246203.tif 000005